(57)【要約】  耐ＰＩＤ且つ耐風塵の結晶シリコン太陽電池モジュールであって、太陽電池ストリング（１）と、太陽電池ストリングの両側に積層されたポリオレフィン層（２）と、そのうちの一方のポリオレフィン層上に積層された前板ガラス層（３）と、他方のポリオレフィン層上に積層された裏板（４）と、裏板及び前板ガラス層を挟み込むためのフレーム（６）と、裏板上に取り付けられ、太陽電池ストリングと外部回線とを接続するための接続箱（５）と、を含む。太陽電池ストリングの両側にポリオレフィン層を設置することにより、水蒸気透過率を低下させ、高電圧の状態でパッケージ材料に現れるイオンマイグレーション現象を回避し、モジュールの耐ＰＩＤ性能を向上させ、モジュールの寿命期間にはＰＩＤ現象が発生しないようにすることができる。【選択図】図１
2018527763.tif 000002
【特許請求の範囲】
【請求項１】
耐ＰＩＤ且つ耐風塵の結晶シリコン太陽電池モジュールであって、太陽電池ストリングと、前記太陽電池ストリングの両側に積層されたポリオレフィン層と、そのうちの一方の前記ポリオレフィン層上に積層された前板ガラス層と、他方の前記ポリオレフィン層上に積層された裏板と、前記裏板及び前記前板ガラス層を挟み込むためのフレームと、前記裏板上に取り付けられ、前記太陽電池ストリングと外部回線とを接続するための接続箱と、を含むことを特徴とする耐ＰＩＤ且つ耐風塵の結晶シリコン太陽電池モジュール。
【請求項２】
前記裏板の材質はポリアミドであることを特徴とする請求項１に記載の耐ＰＩＤ且つ耐風塵の結晶シリコン太陽電池モジュール。
【請求項３】
前記太陽電池ストリングは、少なくとも２つの太陽電池片が少なくとも１つの溶接リボンにより直列に接続されてなることを特徴とする請求項２に記載の耐ＰＩＤ且つ耐風塵の結晶シリコン太陽電池モジュール。
【請求項４】
前記フレームは、枠体と、前記枠体と一体成型し且つその内側面に位置する係合枠とを含み、前記係合枠は３つあり、それぞれ前記枠体内側面の頂部、底部及び中間部に形成されており、前記枠体内側面の頂部に形成される係合枠を第１係合枠と定義し、前記枠体内側面の中間部に形成される係合枠を第２係合枠と定義し、前記枠体内側面の底部に形成される係合枠を第３係合枠と定義し、前記第１係合枠と前記第２係合枠との間に前記前板ガラス層及び前記裏板が介在されていることを特徴とする請求項２に記載の耐ＰＩＤ且つ耐風塵の結晶シリコン太陽電池モジュール。
【請求項５】
前記ポリオレフィン層の厚さは０．２５〜０．８ｍｍであることを特徴とする請求項１に記載の耐ＰＩＤ且つ耐風塵の結晶シリコン太陽電池モジュール。
【発明の詳細な説明】
【技術分野】
【０００１】
本出願は、２０１５年９月２３日に中国特許庁に提出された、出願番号が２０１５１０６１１２５９．４であり、発明の名称が「耐ＰＩＤ且つ耐風塵の結晶シリコン太陽電池モジュール」である中国特許出願の優先権を主張するものであり、その全体が引用により本出願に組み込まれる。
【０００２】
本発明は、光起電力太陽電池分野に属し、具体的には、耐ＰＩＤ且つ耐風塵の結晶シリコン太陽電池モジュールに関する。
【背景技術】
【０００３】
太陽エネルギーは、人類にとって無尽蔵の再生可能なものであって、クリーンエネルギーにも属しており、いずれの環境汚染も生じない。太陽エネルギーの効果的な利用において、太陽光発電の利用は、近年、発展が最も速く、最も活力のある研究分野である。結晶シリコン太陽電池は、主に半導体材料を基礎とし、その作動原理が、光電材料で光エネルギーを吸収した後に光電変換反応を発生して光エネルギーを直接電気エネルギーに転換する装置である。
【０００４】
現在、通常の結晶シリコン太陽モジュールの主な構造は、強化ガラス層、エチレン-酢酸ビニルブロック共重合体、電池片、裏板及びアルミニウム合金フレームであり、モジュール全体の重量が約２０ｋｇ程度である。近年の研究により、結晶シリコン光起電力モジュールにおける回路とその接地金属フレームの間にある高電圧は、モジュールの光起電力性能の持続減衰を引き起こすことがある。そして、通常の耐ＰＩＤ（Ｐｏｔｅｎｔｉａｌ  Ｉｎｄｕｃｅｄ  Ｄｅｇｒａｄａｔｉｏｎ、即ち電位誘発減衰）のモジュールは、３〜５年の使用後に、モジュールパワーの減衰が顕著であり、モジュールの寿命期間にパワーが減衰し過ぎ、モジュール寿命が短くなるため、発電所の発電量は明らかに低下してしまっていた。現在の通常の結晶シリコンモジュール裏板には、一般的に両面コーティング型の裏板を採用し、その砂落ち砂テストが一般的に５Ｌ／μｍ程度であり、耐風塵性能が弱く、且つ普通のフッ素裏板が回収される場合、フッ化物が発生し、環境に対してフッ素汚染のリスクがある。
【発明の概要】
【発明が解決しようとする課題】
【０００５】
本発明は、従来技術の不足を克服するために、耐ＰＩＤ且つ耐風塵の結晶シリコン太陽電池モジュールを提供することを目的とする。
【課題を解決するための手段】
【０００６】
上記目的を達成するために、本発明が採用する技術案は、耐ＰＩＤ且つ耐風塵の結晶シリコン太陽電池モジュールであって、太陽電池ストリングと、前記太陽電池ストリングの両側に積層されたポリオレフィン層と、そのうちの一方の前記ポリオレフィン層上に積層された前板ガラス層と、他方の前記ポリオレフィン層上に積層された裏板と、前記裏板及び前記前板ガラス層を挟み込むためのフレームと、前記裏板上に取り付けられ、前記太陽電池ストリングと外部回線とを接続するための接続箱と、を含む。
【０００７】
好ましくは、前記裏板の材質はポリアミドである。
【０００８】
さらに、前記太陽電池ストリングは、少なくとも２つの太陽電池片が少なくとも１つの溶接リボンにより直列に接続されてなる。
【０００９】
さらに、前記フレームは、枠体と、前記枠体と一体成型し且つその内側面に位置する係合枠とを含み、前記係合枠は３つあり、それぞれ前記枠体内側面の頂部、底部及び中間部に形成されており、前記枠体内側面の頂部に形成される係合枠を第１係合枠と定義し、前記枠体内側面の中間部に形成される係合枠を第２係合枠と定義し、前記枠体内側面の底部に形成される係合枠を第３係合枠と定義し、前記第１係合枠と前記第２係合枠との間に前記前板ガラス層及び前記裏板が介在されている。
【００１０】
好ましくは、前記ポリオレフィン層の厚さは０．２５〜０．８ｍｍである。
【発明の効果】
【００１１】
上記技術案の適用により、本発明は従来技術に比べて下記の利点を有する。即ち、本発明に係る耐ＰＩＤ且つ耐風塵の結晶シリコン太陽電池モジュールは、太陽電池ストリングの両側にポリオレフィン層を設置することにより、水蒸気透過率を低下させ、高電圧の状態でパッケージ材料に現れるイオンマイグレーション現象を回避し、モジュールの耐ＰＩＤ性能を向上させ、モジュールの寿命期間にはＰＩＤ現象が発生しないようにすることができる。
【図面の簡単な説明】
【００１２】
【図１】本発明に係る耐ＰＩＤ且つ耐風塵の結晶シリコン太陽電池モジュールの構造概略図である。
【発明を実施するための形態】
【００１３】
以下、本発明の好ましい実施形態を図面と関連付けて詳しく説明する。
【００１４】
図１に示すような耐ＰＩＤ且つ耐風塵の結晶シリコン太陽電池モジュールは、主に太陽電池ストリング１、ポリオレフィン層２、前板ガラス層３、裏板４、接続箱５及びフレーム６を含む。
【００１５】
なお、太陽電池ストリング１は、少なくとも２つの太陽電池片１１が少なくとも１つの溶接リボン１２により直列に接続されてなり、溶接リボン１２が１つの太陽電池片１１の正面から他の太陽電池片１１の裏面に接続される。ポリオレフィン層２は二層あり、それぞれ太陽電池ストリング１の両側に積層され、必要に応じて熱硬型又は熱可塑型のものを採用可能であり、厚さが０．２５〜０．８ｍｍであることが好ましく、その具体的なパラメータについて、波長が３８２〜１１００ｎｍ、可視光透過率が＞９０％、横収縮率が≦２％、縦収縮率が≦５％、架橋度が６０〜８０％、吸水率が≦０．０１％である。前板ガラス層３は、そのうちの一方のポリオレフィン層２上に積層され、裏板４は、他方のポリオレフィン層２上に積層される。フレーム６は、裏板４及び前板ガラス層３を挟み込むためのものであり、枠体６１と、枠体６１と一体成型し且つその内側面に位置する少なくとも２つの係合枠を含み、係合枠の間に前板ガラス層３及び裏板４が介在されている。接続箱５は裏板４上に取り付けられ、太陽電池ストリング１と外部回線とを接続するためのものであり、バックコンタクト式の普通の接続箱を採用すればよい。このような太陽電池モジュールは、太陽電池片の水蒸気透過率を低下させ、高電圧の状態でパッケージ材料（ポリオレフィン）に現れるイオンマイグレーション現象を回避することにより、モジュールの耐ＰＩＤ性能を向上させ、モジュールの寿命期間にはＰＩＤ現象が発生しないような予想できない効果がある。
【００１６】
本実施例において、係合枠は３つあり、それぞれ枠体６１内側面の頂部、底部及び中間部に形成されており、枠体６１内側面の頂部に形成される係合枠を第１係合枠６２と定義し、枠体６１内側面の中間部に形成される係合枠を第２係合枠６３と定義し、枠体６１内側面の底部に形成される係合枠を第３係合枠６４と定義し、第１係合枠６２と第２係合枠６３との間に前板ガラス層３及び裏板４が介在されている。裏板４の材質はポリアミドであり、その具体的なパラメータについて、水蒸気バリアが１．２５ｇ/ｄｍ２であり、反射率が従来の裏板より１０％程度高く、従来のＰＥＴフッ素裏板を捨て去って無フッ素汚染の要求を満たすことで、環境に対して優しくなっており、さらに、以下のような予想できない効果がある。即ち、モジュールの耐風塵性能を３倍以上向上させ、アンモニア・アルカリ耐性も普通の裏板より優れており、この結晶シリコン太陽電池モジュールの耐ＰＩＤ性及び耐風塵性によって、その使用範囲を拡大し、高温高湿及び高風塵の地区に適用することができる。
【００１７】
上記実施例は、単に本発明の技術的構想及び特徴点を説明するためのものであり、この技術を熟知する人が本発明の内容を理解し、これによって実施することができることを目的とし、本発明の保護範囲を制限するものではなく、本発明の精神に基づく同等な変更又は修正は、いずれも本発明の保護範囲内にあるべきである。
【符号の説明】
【００１８】
１・・・太陽電池ストリング、１１・・・太陽電池片、１２・・・溶接リボン、２・・・ポリオレフィン層、３・・・前板ガラス層、４・・・裏板、５・・・接続箱、６・・・フレーム、６１・・・枠体、６２・・・第１係合枠、６３・・・第２係合枠、６４・・・第３係合枠。
【図１】
2018527763.tif 000003
【国際調査報告】
2018527763.tif 000004
2018527763.tif 000005
2018527763.tif 000006
2018527763.tif 000007